(57)【要約】  このネットワークデバイスは、位置更新時に該当ユーザの電話番号を把握していない場合、呼設定を遅らせて上述の登録を行うことができる。また、このネットワークデバイスは、ＩＰマルチメディアサブシステムの実際の端末にあるデータセキュリティメカニズムと、ＩＰマルチメディアサブシステムから受信した実際の端末の認証パラメータおよびデータセキュリティパラメータとを使用して、ユーザ認証を行い、ネットワークデバイスとＩＰマルチメディアサブシステムとを安全な暗号化されたネットワークで接続して、その状態を保つ。
2009524314.tif 000002
【特許請求の範囲】
【請求項１】
ＩＰマルチメディアサブシステム（１０１）において端末（６）を登録する方法であって、ＩＰマルチメディアサブシステム（１０１）への登録に関連して、ドメインネームサービス（４０）の更新が行われることを特徴とする方法。
【請求項２】
マルチ無線プロトコルゲートウェイ（４）が、公衆移動通信コアネットワークの回線交換部（５）の位置更新要求を受信した後、ユーザの電話番号を把握していない場合、ＩＰマルチメディアサブシステム（１０１）の登録プロシージャを遅らせて実行することを特徴とする請求項１に記載の方法。
【請求項３】
マルチ無線プロトコルゲートウェイ（４）が電話呼設定信号伝達に関連して前記ユーザの電話番号を受信した場合、前記遅らされたＩＰマルチメディアサブシステム（１０１）の登録プロシージャは、公衆携帯電話コアシステムの回線交換部（５）の電話呼設定信号伝達に関連して実行されることを特徴とする請求項２に記載の方法。
【請求項４】
ドメインネームサービス（４０）において、ユーザの国際携帯電話番号のドメインネームサービスの接続確立プロシージャとして、第１プロシージャおよび１つ以上の第２プロシージャが更新され、アドレスとして、第１アドレスおよび１つ以上の第２アドレスが更新されることを特徴とする請求項１に記載の方法。
【請求項５】
前記第１プロシージャおよび前記第２プロシージャは、たとえば、ＳＩＰプロシージャ、従来の電話呼設定プロシージャ、Ｓｋｙｐｅプロシージャ、または独自に開発されたプロシージャであってよいことを特徴とする請求項４に記載の方法。
【請求項６】
前記第１アドレスおよび前記第２アドレスは、たとえば、国際携帯電話番号とマルチ無線プロトコルゲートウェイ（４）のドメインネームとによって形成される完全に一意なドメインネームであってよく、またはＳＩＰリソース識別の形態を採るＩＰアドレス番号、電話番号に相当するリソースロケータの形態を採る国際携帯電話番号、Ｓｋｙｐｅ識別、もしくは独自に開発された識別であってよいことを特徴とする請求項４に記載の方法。
【請求項７】
ドメインネームサービス（４０）の前記更新は、公衆携帯電話システムの位置登録部分の位置更新プロシージャの後に実行されることを特徴とする請求項１に記載の方法。
【請求項８】
ＩＰマルチメディアサブシステム（１０１）に端末（６）を登録するシステムであって、
ａ．  無線で機能する手段と、公衆移動通信コアネットワークの回線交換部（５）の位置更新プロシージャを実行する手段とを含む端末（６）と、
ｂ．  公衆携帯電話システムの無線ネットワークまたは免許不要の周波数を利用した無線ネットワークであってよい無線アクセスネットワーク（１０４）と、
ｃ．  ＩＰマルチメディアサブシステム（１０１）の登録および接続確立プロシージャを実行する手段を含むマルチ無線プロトコルゲートウェイ（４）と、
ｄ．  ＩＰマルチメディアサブシステム（１０１）の実際のユーザ機器の登録を処理する手段と、回線交換部（５）および公衆移動通信コアネットワークの位置登録部によって位置更新プロシージャを実行する手段と、ドメインネームサービス（４０）の更新を実行する手段とを含むレジスタゲートウェイ（２４）とを含むことを特徴とするシステム。
【請求項９】
ＩＰマルチメディアサブシステム（１０１）において端末（６）のユーザを認証する方法であって、端末（６）の公衆移動通信コアネットワークの回線交換部（５）の認証パラメータが、ＩＰマルチメディアサブシステム（１０１）において機器の実際のユーザの認証パラメータとして使用されることを特徴とする方法。
【請求項１０】
ＩＰマルチメディアサブシステム（１０１）がマルチ無線プロトコルゲートウェイ（４）にＩＰマルチメディアサブシステム（１０１）における機器の前記実際のユーザの認証を要求すると、マルチ無線プロトコルゲートウェイ（４）は端末（６）に認証パラメータを要求することを特徴とする請求項９に記載の方法。
【請求項１１】
マルチ無線プロトコルゲートウェイ（４）とＩＰマルチメディアサブシステム（１０１）との間で一体化された接続を形成する方法であって、ＩＰマルチメディアサブシステムにおいて実際のユーザの機器のデータセキュリティメカニズムを実施することによって、マルチ無線プロトコルゲートウェイ（４）とＩＰマルチメディアサブシステム（１０１）との間に安全な暗号化された接続が形成されて維持されることを特徴とする方法。
【請求項１２】
マルチ無線プロトコルゲートウェイ（４）は、ＩＰマルチメディアサブシステム（１０１）の前記安全な暗号化された接続を形成し、ＩＰマルチメディアサブシステム（１０１）における実際のユーザの前記機器のパラメータをＩＰマルチメディアサブシステム（１０１）に送信するとともに、マルチ無線プロトコルゲートウェイ（４）は、ＩＰマルチメディアサブシステム（１０１）に対する前記一体化された接続を形成して維持するために、ＩＰマルチメディアサブシステム（１０１）から受信したＩＰマルチメディアサブシステム（１０１）における実際のユーザの前記機器の該パラメータを使用することを特徴とする請求項１１に記載の方法。
【請求項１３】
ＩＰマルチメディアサブシステム（１０１）において端末（６）のユーザを識別し、マルチ無線プロトコルゲートウェイ（４）とＩＰマルチメディアサブシステム（１０１）との間に一体化された接続を確立するシステムであって、
ａ．  無線で機能する手段と、公衆移動通信コアネットワークの回線交換部（５）の位置更新プロシージャを実行する手段とを含む端末（６）と、
ｂ．  公衆携帯電話システムの無線ネットワークまたは免許不要の周波数を利用した無線ネットワークであってよい無線アクセスネットワーク（１０４）と、
ｃ．  公衆移動通信コアネットワークの回線交換部（５）およびＩＰマルチメディアサブシステム（１０１）の認証プロシージャを実行する手段と、マルチ無線プロトコルゲートウェイ（４）とＩＰマルチメディアサブシステム（１０１）との間に安全な暗号化された接続を形成して維持する手段とを含むマルチ無線プロトコルゲートウェイ（４）とを含むことを特徴とするシステム。
【請求項１４】
ＩＰマルチメディアサブシステム（１０１）において公衆移動通信コアネットワークの回線交換部（５）の位置更新プロシージャのメッセージを送信する方法であって、ＩＰマルチメディアサブシステム（１０１）の登録プロシージャに関連して、またはＩＰマルチメディアサブシステム（１０１）の接続確立プロシージャに関連して、位置更新の前記メッセージを送信することができることを特徴とする方法。
【請求項１５】
前記位置更新メッセージそれ自体が送信される、または前記位置更新メッセージの一部のみが送信されることを特徴とする請求項１４に記載の方法。
【請求項１６】
前記位置更新メッセージは、ＩＰマルチメディアのＩＮＦＯメッセージで送信されることを特徴とする請求項１４および１５に記載の方法。
【請求項１７】
ＩＰマルチメディアサブシステム（１０１）において公衆移動通信コアネットワークのパケット交換部（５）の位置更新プロシージャのメッセージを送信するシステムであって、
ａ．  無線で機能する手段と、公衆移動通信コアネットワークの回線交換部（５）の位置更新プロシージャを実行する手段とを含む端末（６）と、
ｂ．  公衆携帯電話システムの無線ネットワークまたは免許不要の周波数を利用した無線ネットワークであってよい無線アクセスネットワーク（１０４）と、
ｃ．  公衆移動通信コアネットワークの回線交換部（５）の位置更新プロシージャを実行する手段と、ＩＰマルチメディアサブシステム（１０１）の登録および接続確立プロシージャを実行する手段とを含むマルチ無線プロトコルゲートウェイ（４）と、
ｄ．  ＩＰマルチメディアサブシステム（１０１）の実際のユーザ機器の登録を処理する手段と、公衆移動通信コアネットワークの回線交換部（５）および位置登録部によって、公衆移動通信コアネットワークの回線交換部（５）の位置更新プロシージャを実行する手段と、ＩＰマルチメディアサブシステム（１０１）の接続確立プロシージャを実行する手段とを含むレジスタゲートウェイ（２４）とを含むことを特徴とするシステム。
【請求項１８】
ドメインネームサービス（４０）の更新を実行するシステムであって、ＩＰマルチメディアサブシステム（１０１）の登録プロシージャを処理する手段と、ドメインネームサービス（４０）の更新を実行する手段と含むセッション制御機能（９）を含むことを特徴とするシステム。
【発明の詳細な説明】
【発明の詳細な説明】
【０００１】
本発明は、３ＧＰＰ（the 3rd Generation Partnership Project）が規定するＩＰマルチメディアサブシステムＩＭＳ（IP Multimedia Subsystem）に、本発明に係るマルチ無線プロトコルゲートウェイＭＲＧＷ（multi-radio protocol gateway）を使用して無線アクセスネットワークを直接、接続するシステムおよび方法に関する。
【０００２】
無線アクセスネットワークとして使用できるのは、たとえばＧＳＭ，ＩＳ−５４，ＩＳ−９５，ＣＤＭＡ−２０００，ＷＣＤＭＡ無線ネットワークなどの公衆携帯電話システムの無線ネットワーク、また、たとえば別の形態の無線ローカルエリアネットワーク（たとえばＩＥＥＥ８０２．１１の別バーション）、Bluetoothネットワークなどの免許不要の無線周波数を利用した無線ネットワークである。これらのアクセスネットワークは、回線交換方式（公衆携帯電話システム無線ネットワーク）でも、回線交換によるサービスに対応したパケット交換方式（免許不要の無線周波数を利用した無線ネットワーク；ＵＭＡ参照）でも、どちらであっても使用することができる。ＵＭＡ（Unlicensed Mobile Access）とは、公衆携帯電話システムの回線交換方式の信号プロトコルを、たとえば、どの周波数でもよいので、免許不要の無線周波数を利用し、ＴＣＰ／ＩＰ接続によって送信する、ＵＭＡコンソーシアムによって規定された方法のことである。ＩＰマルチメディアサブシステムとは、３ＧＰＰが規定する公衆移動通信コアネットワークであり、これによって、ＩＰマルチメディアサブシステム対応の無線端末を使用するエンドユーザにマルチメディアサービスが提供される。ＩＰマルチメディアサブシステムは、音声、画像、データ、およびテキストが組合わさったものを通信することを基本とし、パケット交換方式の伝送路および接続を経由する。
【０００３】
ＩＰマルチメディアサブシステムが提供するサービスのうち、中心的なものとして、ＩＰ電話サービスがあるが、これは公衆携帯電話ネットワークで実施され、将来的には従来の回線交換方式の電話サービス（すなわちテレサービス（teleservices））およびこれらに接続される補助的なサービス（すなわち着信の転送、保留／代理応答など）に取って代わることもあると思われる。しかしながら、公衆携帯電話ネットワークの汎用パケット無線サービスＧＰＲＳ（General Packet Radio Service）が、必ずしも、音声、画像などのリアルタイムを要する情報を無線アクセスネットワークで転送するのに最善のものである、すなわち最も費用対効果の高いものである、というわけではない。コアネットワークにおいて、リアルタイムを要する情報を転送するには、従来技術のデータネットワークプロトコルによるパケット交換方式の転送方法が便利かつ費用対効果の高い方法であるが、無線アクセスネットワークにおいては、これは当てはまらず、免許不要の無線周波数を使用するアクセスネットワークにおいてさえも、ユーザ数が多い場合は必ずしもこれが当てはまるとは限らない。公衆携帯電話システムの無線アクセスネットワークにおけるパケット交換方式の転送方法は、特に狭帯域の音声および画像を、ユーザ数が多い場合には音声のみを、転送するように設計されている。この問題は、パケット交換方式のローミング伝達サービスおよびＩＰマルチメディアサブシステムのセッションに関する仕様書の作成作業が始まっている３ＧＰＰでも議論されている。
【０００４】
ここで、本発明は、公衆携帯電話システムにおいて音声サービスを実施するために実際上の利用が可能であると証明された、費用効率の高い２つの方法、すなわち無線アクセスネットワークにおける回線交換方式の伝送路と、サービスネットワークにおけるパケット交換方式の伝送路およびサービスの実施とを組合わせることを可能にする。本発明は、携帯電話サービスのプロバイダがＩＰマルチメディアサブシステムを実施できるようにするとともに、たとえば通常のＧＳＭ電話の何百万人にも上るユーザに対し、音声サービスを実施することを可能にする。携帯電話サービスのプロバイダは、無線アクセスネットワークにさらに設備投資する必要もなく、新たな多機能端末機が市場に出るのを待つ必要もなく、新たなコアネットワーク技術でもって市場を開拓することができる。
【０００５】
米国特許出願公開第２００３／００２７５６９号明細書、米国特許出願公開第２００３／００２７５９５号明細書、米国特許出願公開第２００３／００２６２４５号明細書が開示するシステムおよび新しいエンティティ（ｉＭＳＣ）は、３ＧＰＰ（3rd Generation Partnership Project）が規定するＩＰマルチメディアサブシステム（ＩＭＳ）において、公衆移動通信コアネットワークが回線交換方式でサービスを実施できるようにするものである。これらの文献は、ｉＭＳＣと呼ばれる新たなエンティティを開示しており、これは、回線交換方式の位置更新ならびに音声サービスおよび機能制御をＩＰマルチメディアサブシステムに応じたＳＩＰ動作に変換する。これらの文献は、この変換がどのように成されるのかについて直接的には記載していないが、公衆携帯電話ネットワークの公知の動作モードおよび公衆携帯電話システム要素の公知の動作には言及している。
【０００６】
たとえば、これらの文献は、ｉＭＳＣがＩＰマルチメディアサブシステムにおいてユーザ装置（ＵＥ）の登録を行うことを開示しているが、ｉＭＳＣがどの公開ユーザ識別をそのユーザの端末のものとしてＩＰマルチメディアサブシステムに登録するか、登録されているアドレス接続によって前記公開ユーザ識別がどのアドレスに接続されるか、については開示していない。文献が言及しているＩＰマルチメディアサブシステムに関する３ＧＰＰ推奨規格によれば、公開ユーザ識別は、複数登録されてもよく、ＳＩＰリソース識別子（ＳＩＰ  ＵＲＩ，ユニフォームリソース識別子（Uniform Resource Identifier））の形態であっても、電話番号に相当するユニフォームリソースロケータ（Uniform Resource Locater）の形態であってもよい。
【０００７】
上述の公開ユーザ識別は、ＩＰマルチメディアサブシステムの加入者識別モジュール（ＳＩＭ）カードに保存される。公開ユーザ識別が特定されない場合、そのユーザの国際携帯電話加入者識別番号（ＩＭＳＩ）から、３ＧＰＰ推奨規格に従って１つの公開ユーザ識別が導出されて、それがＩＰマルチメディアサブシステムに登録される。ＩＭＳＩは、加入者の接続を一意に特定するが、従来の携帯電話または電話ネットワークで呼の発着信が可能な電話番号ではなく、ＩＰマルチメディアサブシステム内であっても必ずしも発着信できるとは限らない。汎用のＩＰ電話ネットワークにおいて、公開ユーザ識別の範囲は、Ｓｋｙｐｅなどの独自に開発されたシステムも考慮するとさらに広くなる。
【０００８】
ここで、携帯電話番号がユーザの公開アドレスとして、かつｉＭＳＣのドメインネームがそのアドレス接続として、ＩＰマルチメディアサブシステムに登録されたとしても、動作に関する当該文献の記述ならびに３ＧＰＰおよびＩＥＴＦの推奨規格に基づいて当業者が推測できるとおり、ユーザ登録されたアドレス接続がどのようにしてＥＮＵＭ／ＤＮＳサービスに提供されるかは、文献に開示された解決方法を作用させるための絶対条件であるにも関らず、依然として不明確なままである。このことは３ＧＰＰおよびＩＥＴＦの推奨規格にも規定されていない。
【０００９】
呼制御の部分については、２つの公知エレメント‘ＭＳＣサーバ’および‘Ｐ−ＣＳＣＦサーバ’によってｉＭＳＣの動作を説明している文献の図３に、変換の動作が記載されている。上述のいずれのエレメントもこうした呼制御信号の変換には関与せず、且つ当該文献は前記エレメントの新たな動作としても変換方法を特定していないので、変換方法が不明確であれば、これらの文献に基づいて、当業者は、３ＧＰＰ推奨規格に規定されるエレメントおよびその動作を参照することが見込まれる。文献のその他の部分には、ｉＭＳＣの動作がＳＩＰユーザエージェント（SIP User Agent（ＳＩＰ  ＵＡ））と‘Ｐ−ＣＳＣＦ’とを組合わせたようであることが開示されている。さらに、３ＧＰＰ推奨規格によれば、上述のいずれのエレメントもこうした呼制御信号の変換には関与せず、且つ当該文献は前記エレメントの新たな動作としても変換方法を特定していないので、たとえば呼制御信号の変換方法が不明確であれば、これらの文献に基づいて、当業者は、３ＧＰＰ推奨規格に規定されるエレメントおよびその動作を参照することが見込まれる。
【００１０】
呼制御信号の部分について、より動作性の高い組合わせであって、３ＧＰＰ推奨規格に準じ、且つ当該文献を真似たものとして、たとえば‘ＭＳＣサーバ’−‘Ｔ−ＳＧＷ’−‘ＭＧＣＦ’−‘Ｂ−ＣＳＣＦ’または‘ＭＳＣサーバ’−‘Ｔ−ＳＧＷ’−‘ＭＧＣＦ’の組合せがある。回線変換方式の補助的なサービスの変換についても同様である。ＳＩＰ登録部分に関し、３ＧＰＰ推奨規格に準じ且つ文献に記載されているｉＭＳＣと‘Ｃ−ＣＳＣＦ’エンティティとのインターフェースがＧｍであれば、上述のＳＩＰユーザエージェントと‘Ｐ−ＣＳＣＦ’との組合わせは、ＳＩＰ接続プロシージャの観点からみた動作性が高くなる。ｉＭＳＣと‘Ｃ−ＣＳＣＦ’エンティティとのインターフェースは、新たなインターフェース‘Ｍｘ’で規定される。文献では、インターフェースがＩＰマルチメディアサブシステムのプロシージャに応じたＳＩＰ接続を使用したインターフェースとして規定されており、これについて他に規定はないが、３ＧＰＰ推奨規格に当該インターフェースは存在しない。また、このようにＳＩＰユーザエージェントおよび‘Ｐ−ＣＳＣＦ’は、３ＧＰＰ推奨規格に準ずるいかなる方法によっても位置更新信号の変換に関与することはない。
【００１１】
さらに、携帯電話ネットワークの位置更新およびＩＰマルチメディアサブシステムへの登録に関し、文献の図４は、携帯電話ネットワークへの位置更新が最初に行われてから、ＩＰマルチメディアサブシステムへの登録が行われることを示している。これによって、ユーザにとっては残念な状況が招かれる場合がある。携帯電話ネットワークに対する位置更新が成功しても、ＩＰマルチメディアサブシステムへの登録が失敗すれば、目標のユーザがコアネットワーク、すなわちＩＰマルチメディアサブシステムに登録されていない状況にあるので、結果的に目標の端末に発呼されず、該端末が着呼しない。この状況は、該端末が周期的な位置更新を行うまで、またはユーザが端末の電源を一度切ってからまた入れ直し、ＩＰマルチメディアサブシステムへの登録が再度試みられるまで、是正することができない。米国特許出願公開第２００３／００２６２４５号明細書の［００５９］段落では、３ＧＰＰ推奨規格ＴＳ２４．００８のプロシージャである‘inter-iMSC Location Update’について言及がされているが、これは当該推奨規格において特定されているものではなく、また、たとえば‘inter-MSC Location Update’のようなものでもない。同様のプロシージャは、上記文献のうちの他の文献においても言及されている。
【００１２】
他の文献では、たとえば米国特許出願公開第２００３／００２６２４５号明細書の［００５７］および［００５９］段落において、ｉＭＳＣエンティティがユーザの認証を行うことについて言及しており、この文献の記載に基づくと、認証は、具体的には従来の携帯電話ネットワークのプロシージャによるものであり、すなわちＭＡＰインターフェースを介してホーム位置レジスタＨＬＲ（home location register）から受信した認証パラメータに基づいてビジタ位置レジスタＶＬＲ（visitor location register）が行う認証であって、ＩＰマルチメディアサブシステムが行う認証ではない。この推測は、米国特許出願公開第２００３／７００２６２４５号明細書の［００９８］段落の動作に関する記載によっても裏付けられる。つまり、ｉＭＳＣエンティティがＣＳＣＦにＳＩＰ登録要求を送信（まず‘Ｉ−ＣＳＣＦ’に送信して、そこからさらに‘Ｓ−ＣＳＣＦ’に該要求を送信）し、それからＣＳＣＦがＩＰマルチメディアサブシステムのＳＩＰ認証プロシージャによってｉＭＳＣエンティティを介して端末の認証を行い、その後でのみ、ＳＩＰ登録はＨＳＳにおいて終了するというものである。
【００１３】
図１は、本発明を使用したシステム全体の動作に関するブロック図である。本発明を使用したシステム全体のより具体的な構造および動作は、ＧＳＭおよびＵＭＴＳから公知となっている用語、インターフェースおよびプロトコルを用いて記載する。
【００１４】
図１のシステム全体において、公衆携帯電話システムの回線交換方式無線アクセスネットワーク（１０４）が本発明に係るマルチ無線プロトコルゲートウェイを介してＩＰマルチメディアサブシステム（１０１）に接続される。この回線交換方式無線アクセスネットワークは、基地局（１）および基地局／無線ネットワークコントローラ（２）から成り、ＧＳＭシステムにおいては基地局サブシステム（Base Station Subsystem（ＢＳＳ））と呼ばれ、第三世代のＵＭＴＳシステムにおいては無線ネットワークシステム（Radio Network System（ＲＮＳ））と呼ばれる。また無線アクセスネットワーク（１０４）は、たとえば、免許不要の無線周波数を利用したＵＭＡネットワークであって、無線アクセスポイント（ＡＰ）（３０）およびＵＭＡネットワークコントローラ（３１）を含むネットワークによって形成されてもよく、免許不要の無線周波数を利用した汎用アクセスネットワークであって、無線アクセスポイント（３０）を含むネットワークによって形成されてもよい。一方、移動通信センタ／ビジタ位置レジスタ交換サーバ（ＭＳＣサーバ）（５）、ホーム位置レジスタ（ＨＬＲ）（７）、機器識別レジスタ（ＥＩＲ）（８）、パケット無線ネットワークのサービスノード（ＳＧＳＮ）（３）およびゲートウェイノード（ＧＧＳＮ）（１０）、ならびにＩＰマルチメディアサブシステム（１０１）は、移動通信コアネットワークを形成する。移動通信コアネットワークは、ＭＳＣサーバ（５）を含む回線交換方式の部分（当然ながら移動通信交換局とビジタ位置レジスタとを組合わせた従来のものであってもよい）と、パケット無線ネットワークのサービスノード（ＳＧＳＮ）（３）およびゲートウェイノード（ＧＧＳＮ）（１０）を含むパケット交換方式の部分と、ホーム位置レジスタ（７）、ビジタ位置レジスタ（個別的に図１に示さず）、ならびにパケット無線ネットワークのサービスノード（３）およびゲートウェイノード（１０）を含む位置レジスタの部分と、ホーム加入者サーバ（ＨＳＳ）（１１）、機能形態の異なる呼セッション制御機能（Call Session Control Function（ＣＳＣＦ））（９）（すなわちＩ−ＣＳＣＦ，Ｐ−ＣＳＣＦ，Ｓ−ＣＳＣＦおよびＢ−ＣＳＣＦ）、アプリケーションサーバ（Application Server（ＡＳ））（１７）、メディアゲートウェイ制御機能（Media Gateway Control Function（ＭＧＣＦ））（１４）、メディアゲートウェイ（Media Gateway（ＭＧＷ））（１５）ならびにマルチメディアリソース機能（Multimedia Resource Function（ＭＲＦ））（１６）を含むＩＰマルチメディアサブシステム（１０１）とに分けられる。本発明に係るレジスタゲートウェイ（ＲＧＷ）は、ＩＰマルチメディアサブシステム（１０１）のアプリケーションサーバとして機能する。
【００１５】
以下、図１に示した本発明のマルチ無線プロトコルゲートウェイのインターフェースについて、より詳細に説明する。
【００１６】
図１に示した公衆携帯電話システムの無線アクセスネットワーク（１０４）がインターフェースＡ（５０）またはｌｕＣＳ（７１）を介してマルチ無線プロトコルゲートウェイ（４）に接続されている場合、無線アクセスネットワーク（１０４）は、マルチ無線プロトコルゲートウェイ（１）およびその後方のＩＰマルチメディアサブシステム（１０１）を、公衆携帯電話システムのＭＳＣサーバ（５）、すなわち公衆移動通信コアネットワークの回線交換方式部分として見る。留意すべきこととして、たとえば、インターフェース（５０）は、ＧＳＭ方式のＡインターフェースそのものであってもよいし、分散型Ａインターフェースあってもよい。分散型Ａインターフェースとは、Ａインターフェースの下部プロトコル（たとえばＭＴＰプロトコルおよびＳＣＣＰプロトコル）が公知の‘SS7 over IP’ゲートウェイ技術（図１に不図示）を利用したＳＳ７ｏＩＰゲートウェイで実施され、Ａインターフェースの上部プロトコル（たとえばＢＳＳＭＡＰプロトコルおよびＤＴＡＰプロトコル）も上記‘SS7 over IP’ゲートウェイ技術をサポートするマルチ無線プロトコルゲートウェイ（４）で実施されているものである。無線アクセスネットワーク（１０４）の基地局／無線ネットワークコントローラ（２）も上記‘SS7 over IP’ゲートウェイ技術をサポートするものであれば、インターフェースＡ（５０），ｌｕＣＳ（７１）に上記ＳＳ７ｏＩＰゲートウェイは必要ない。上記‘SS7 over IP’ゲートウェイ技術は、ＩＥＴＦによって規定されるものであり、プロトコル（すなわちＳｉｇｔｒａｎプロトコル）を含み、ＩＰ接続プロトコルを使用してＳＳ７信号伝達を転送する方法である。端末（６）は、インターフェースＵｐ（５２）を介し、マルチ無線プロトコルゲートウェイ（４）およびその後方のＩＰマルチメディアサブシステム（１０１）を、ＵＭＡネットワークコントローラとして、また公衆携帯電話システムのＭＳＣサーバ（５）として、すなわち公衆移動通信コアネットワークの回線交換方式部分として見る。端末（６）が公衆携帯電話システムに対して位置更新を行う場合は、端末（６）は、インターフェースＵ（７０）を介し、マルチ無線プロトコルゲートウェイ（４）およびその後方のＩＰマルチメディアサブシステム（１０１）を、ＴＣＰ／ＩＰ（などの）接続を介した公衆携帯電話システムのＭＳＣサーバ（５）として見る。なお、この場合、端末（６）は、たとえば上記のＴＣＰ／ＩＰ（などの）接続を介した携帯電話システムへの位置更新プロシージャを作動させて実行するための適切な特性を備えていなければならないことに留意する。
【００１７】
ＩＰマルチメディアサブシステムのセッションコントロール機能（９）は、図１のインターフェースＧｍ（６１）を介し、マルチ無線プロトコルゲートウェイ（４）を、通常はパケット無線ネットワークゲートウェイノード（１０）を介してＩＰマルチメディアサブシステムのセッションコントロール機能（９）と通信するＩＰマルチメディアサブシステム（１０１）のユーザ装置（User Equipment（ＵＥ））、すなわちＩＰマルチメディアサブシステム（１０１）と互換性がある端末（６）として見る。セッションコントロール機能（９）は、インターフェースＩＳＣ（７２）を介し、レジスタゲートウェイ（２４）をＩＰマルティメディアサブシステム（１０１）のアプリケーションサーバ（１７）として見る。ホーム加入者サーバ（１１）も、インターフェースＳｈ（７３）を介し、レジスタゲートウェイ（２４）をＩＰマルチメディアサブシステム（１０１）のアプリケーションサーバ（１７）として見る。メディアゲートウェイ（１５）は、インターフェースＭｎ（６２）を介し、マルチ無線プロトコルゲートウェイ（４）をメディアゲートウェイ制御機能（１４）として見る。
【００１８】
端末（６）が１つのビジタ位置レジスタ領域から別のビジタ位置レジスタ領域に移動するときに位置更新を行う場合、公衆携帯電話システムからの呼が端末（６）へ送信された場合、端末（６）が公衆携帯電話ネットワークへの呼送信を要求した場合、または、加入者データが変更されて、その変更データがホーム位置レジスタ（７）と、レジスタゲートウェイ（４）と、その後方のＩＰマルチメディアサブシステム（１０１）との間を転送される場合、公衆携帯電話システムのホーム位置レジスタ（７）は、図１のインターフェースＤ（７５）を介し、レジスタゲートウェイ（２４）およびその後方のＩＰマルティメディアサブシステム（１０１）を、公衆電話システムのビジタ位置レジスタとして見る。端末（６）が１つのビジタ位置レジスタから別のビジタ位置レジスタに移動するときに位置更新を行う場合、公衆携帯電話システムのＭＳＣサーバ（５）は、インターフェースＧ（７６）を介し、レジスタゲートウェイ（２４）およびその後方のＩＰマルチメディアサブシステム（１０１）を、公衆電話システムのビジタ位置レジスタとして見る。機器識別レジスタ（８）が端末（６）の機器識別（ＩＭＥＩ）を確認する場合、公衆携帯電話システムの機器識別レジスタ（８）は、インターフェースＦ（７７）を介し、レジスタゲートウェイ（２４）およびその後方のＩＰマルチメディアサブシステム（１０１）を、公衆形態電話システムのＭＳＣサーバ（５）として見る。ドメインネームサービス（ＤＮＳ）は、インターフェースＤｄｎｓ（７８）を介し、レジスタゲートウェイ（２４）を、ドメインネームサービス（４０）を使用するクライアントとして見る。
【００１９】
本発明に係るマルチ無線プロトコルゲートウェイ（４）は、以下の機能を含む。ＵＮＣ  ＧＷ機能（１８）は、ＵＭＡ無線リソースプロトコルゲートウェイを含み、これを介して、ＵＭＡ特性を備える端末（６）がマルチ無線プロトコルゲートウェイ（４）との登録および通信を行い、ここを通ってＩＰマルチメディアサブシステム（１０１）と通信する。マルチ無線プロトコルゲートウェイ（４）は、実際のＵＭＡネットワークコントローラを実装せず、それ故にＵＭＡ無線リソースプロトコルゲートウェイのみが実装されている。ＳＩＰ  ＧＷ機能（２０）は、ＳＩＰゲートウェイを含み、３ＧＰＰのＳＩＰ規格に従ったユーザ機器の機能を実行するとともに、ＩＰマルチメディアサブシステム（１０１）のユーザ識別データおよびアドレス記録ならびにセッションに接続されたアドレス接続の制御を実行する。ＳＧＷ機能（２２）は、マルチ無線プロトコルゲートウェイ（４）のプロトコルルーティング機能の核である。ＳＧＷ機能（２２）は、位置更新、登録、識別、接続および切断に関する、様々なインターフェースからの要求とそれらに対する応答とを受信し、さらに送信する。
【００２０】
本発明に係るレジスタゲートウェイ（２４）は、以下の機能を含む。ＶＬＲ  ＧＷ機能（１９）は、ビジタ位置レジスタプロトコルゲートウェイを含む。ＳＩＰ  ＧＷ機能（２３）は、ＳＩＰゲートウェイを含み、３ＧＰＰのＳＩＰ規格に従ったユーザ機器機能を実行する。公衆携帯電話システムに係るビジタ位置レジスタの機能は、マルチ無線プロトコルゲートウェイのＳＧＷ機能（２２）およびＳＩＰ  ＧＷ機能（２０）と、レジスタゲートウェイシステム（１０１）のＶＬＲ  ＧＷ機能（１９）およびＳＩＰ  ＧＷ機能（２３）とを組合わせると、実行できるようになる。ＤＮＳ  ＧＷ機能（４）は、ＩＥＴＦ規格に従ったドメインネームサービスの更新プロシージャで拡張されたＩＥＴＦ規格のドメインネームサービス（４）のクライアント機能を含む。
【００２１】
以下、ＩＰマルチメディアサブシステムへの登録に関し、本発明に係るマルチ無線プロトコルゲートウェイの機能をより詳細に説明する。この機能の説明は、３ＧＰＰおよびＩＥＴＦの規格に従った機能に基づいている。
【００２２】
図１に示したＳＧＷ機能（２２）が端末（６）からインターフェースＡ（５０），ｌｕＣＳ（７１），Ｕｐ（５２），またはＵ（７０）を介して位置更新要求を受信すると、ＳＧＷ機能（２２）は、ＳＩＰ  ＧＷ機能（２０）を作動させて３ＧＰＰのＳＩＰセッションプロシージャに従い、インターフェースＧｍ（６１）を介してＩＰマルチメディアサブシステム（１０１）に登録を行う。ＳＩＰ  ＧＷ機能（２０）は、ホームネットワーク登録機関のドメインネームをＳＩＰ登録要求のリクエストＵＲＩ（ユニフォームリソース識別子（Uniform Resource Identifier））に設定する。このドメインネームは、ＳＩＰ  ＧＷ機能（２０）が３ＧＰＰ規格に準じてユーザの国際移動体加入者識別（International Mobile Subscriber Identity（ＩＭＳＩ））からその国番号およびネットワーク番号に基づいて得るものである。マルチ無線プロトコルゲートウェイ（４）は、位置更新要求に含まれるユーザの国際移動体加入者識別を端末（６）から受信し、国際移動体加入者識別が位置更新要求とともに到達しない場合には、マルチ無線プロトコルゲートウェイ（４）が識別メッセージに含まれるそれを送信するように端末（６）に要求する。ＳＩＰ登録要求のＴｏヘッダフィールドに、ＳＩＰ  ＧＷ機能（２０）は登録アドレスを設定する。この登録アドレスとは、電話番号に相当するユニフォームリソースロケータ（ＵＲＬ）の形態で示される登録ユーザの公開ユーザ識別であり、このような場合、マルチ無線プロトコルゲートウェイ（４）が当該ユーザの国際電話番号を把握していれば、その登録ユーザの国際携帯電話番号（移動局ＩＳＤＮ，ＭＳＩＳＤＮ）となる。
【００２３】
マルチ無線プロトコルゲートウェイ（４）が当該ユーザの国際電話番号を把握していない場合、ＳＩＰ  ＧＷ機能（２０）は、ＩＰマルチメディアサブシステム（１０１）への登録を行わず、ＳＧＷ機能（２２）を介して端末（６）に受諾を意味する位置更新応答を即座に送信する。この場合、ＩＰマルチメディアサブシステム（１０１）への登録は、最初の通話時に行われる。ＳＩＰ登録要求のＦｒｏｍヘッダフィールドに、ＳＩＰ  ＧＷ機能（２０）は、ユーザのＳＩＰエンドポイントのＳＩＰセッションサービスに接続されるアドレス接続を設定する。このアドレス接続は、たとえば文字列としてのユーザの国際電話番号＋‘：’文字＋‘ＭＳＩＳＤＮ’文字列＋‘字＋マルチ無線プロトコルゲートウェイ（４）のドメインネームまたはそのＩＰアドレス番号を含むＳＩＰセッションプロシージャに従ったリソース識別子構造に従う。ＳＩＰ登録要求のＣｏｎｔａｃｔヘッダフィールドにおいて、ＳＩＰ  ＧＷ機能（２０）は、ユーザのＳＩＰエンドポイントのＳＩＰセッションサービスに接続されるアドレス接続をＩＰマルチメディアサブシステム（１０１）に送信する。このアドレス接続は、ＳＩＰ  ＧＷ機能（２０）がそのデータベース（または同様のメモリ）に保存しているものである。ＳＩＰエンドポイントのセッションサービスの上述のアドレス接続は、Ｆｒｏｍヘッダフィールドに送信されたアドレス接続と同様のもの、すなわち文字列としてのユーザの国際携帯電話番号＋‘：’文字＋‘ＭＳＩＳＤＮ’文字列＋‘字＋マルチ無線プロトコルゲートウェイ（４）のドメインネームまたはそのＩＰアドレス番号である。
【００２４】
ＡｕｔｈｏｒｉｚａｔｉｏｎヘッダフィールドのＵｓｅｒｎａｍｅフィールドに、ＳＩＰ  ＧＷ機能（２０）はユーザの秘密ユーザ識別を設定する。このユーザ識別は、ＳＩＰ  ＧＷ機能（２０）が３ＧＰＰ規格に準じてユーザの国際携帯電話加入者識別からその国番号およびネットワーク番号に基づいて得るものである。ＡｕｔｈｏｒｉｚａｔｉｏｎヘッダフィールドのＲｅａｌｍフィールドに、ＳＩＰ  ＧＷ機能（２０）はユーザ識別を行うネットワークの識別子を設定する。当該ネットワーク識別子は、ホームネットワーク登録機関のドメインネームである。ＡｕｔｈｏｒｉｚａｔｉｏｎヘッダフィールドのＲｅｑｕｅｓｔ  ＵＲＩフィールドに、ＳＩＰ  ＧＷ機能（２０）はＳＩＰ登録要求のリクエストＵＲＩを設定する。
【００２５】
Ｓｅｃｕｒｉｔｙ−Ｃｌｉｅｎｔヘッダフィールドにおいて、ＳＩＰ  ＧＷ機能（２０）は、端末（６）とセッション制御機能（９）との間で使用される、端末（６）によって支持されたデータセキュリティメカニズムを、ＩＰマルチメディアサブシステム（１０１）のセッション制御機能（９）に送信する。この場合、この機能は、当該データセキュリティシステムがマルチ無線プロトコルゲートウェイ（４）とＩＰマルチメディアサブシステム（１０１）のセッション制御機能（９）との間で使用され、公衆携帯電話システムの回線交換方式の無線アクセスネットワークのデータセキュリティメカニズムが端末（６）とマルチ無線プロトコルゲートウェイ（４）との間で使用されるという点で、３ＧＰＰによって規定されたメカニズムとは異なる。マルチ無線プロトコルゲートウェイ（４）とセッション制御機能（９）との間で使用される暗号化プロシージャは、ＩＰｓｅｃ−３ＧＰＰであり、使用される整合性アルゴリズムは、３ＧＰＰ規格であるＨＭＡＣ−ＭＤ５−９６またはＨＭＡＣ−ＳＨＡ−１−９６に従ったものである。これらに加えて、Ｓｅｃｕｒｉｔｙ−Ｃｌｉｅｎｔヘッダフィールドの他のフィールドにおいて、マルチ無線プロトコルゲートウェイ（４）は、マルチ無線プロトコルゲートウェイ（４）とＩＰマルチメディアサブシステム（１０１）とのセキュリティ関係を安全な暗号化されたものにするために必要なパラメータ、すなわちセキュリティパラメータインデックスＳＰＩ（Security Parameter Index）および使用されている通信ポート番号を送信する。
【００２６】
また、ＳＩＰセッション要求は、セッション内容に関するメッセージ本体を含み、それに元の位置更新要求からのデータ、すなわち目的位置領域、動作中のセルの識別、位置更新の種類、国際携帯電話加入者識別（International Mobile Subscriber Identity（ＩＭＳＩ））、一時携帯電話加入者識別（Temporary Mobile Subscriber Identity（ＴＭＳＩ））、前回の位置領域、および暗号化鍵連続番号（Ciphering Key Sequence Number（ＣＫＳＮ））をＳＩＰ  ＧＷ機能（２０）が関連付ける。端末（６）が第２または第３世代のＳＩＭカードを有するか否かによって、関連付けられるデータは少し異なることに注意する。上述のデータは、第２世代のＳＩＭカードに関連したものである。内容に関するメッセージ本体の種類として、特定のアプリケーションがあり、そのアプリケーション名として、たとえばＲＧＷが挙げられる。これらはＣｏｎｔｅｎｔ−Ｔｙｐｅヘッダフィールドに設定される。元の位置更新要求からのデータは、たとえば以下のように、それぞれのパラメータ毎に送信される。すなわち、ＯｐｅｒａｔｉｏｎＣｏｄｅ＝位置更新、ＩｎｖｏｋｅＩＤ＝加入者識別（すなわち、一時加入者識別、国際加入者識別、その他、加入者を一意に識別できる識別等）、ＴａｒｇｅｔＬｏｃａｔｉｏｎＡｒｅａＩＤ＝目的位置領域、ＳｅｒｖｉｎｇＣｅｌｌＩＤ＝動作中のセルの識別、ＬｏｃａｔｉｏｎＵｐｄａｔｅＴｙｐｅ＝位置更新の種類、ＩＭＳＩ＝国際携帯電話加入者識別、ＴＭＳＩ＝一時携帯電話加入者識別，ＰｒｅｖｉｏｕｓＬｏｃａｔｉｏｎＡｒｅａｉｄ＝前回の位置領域、ＣＫＳＮ＝暗号化鍵連続番号。
【００２７】
登録要求を受信すると、ＩＰマルチメディアサブシステム（１０１）のセッション制御機能（９）は、マルチ無線プロトコルゲートウェイ（４）に未承認応答を送信して、端末（６）（すなわち加入者の接続点）のユーザの認証を開始する。未承認応答のＷＷＷ−Ａｕｔｈｅｎｔｉｃａｔｅヘッダーフィールドにおいて、セッション制御機能（９）は、乱数（ＲＡＮＤ）、認証トークン（ＡＵＴＮ）、および使用すべき認証アルゴリズムを送信する。未承認応答のＳｅｃｕｒｉｔｙ−Ｓｅｒｖｅｒヘッダフィールドにおいて、セッション制御機能（９）は、たとえば使用中の暗号化アルゴリズム、セキュリティパラメータインデックス、および使用中の通信ポートの番号など、マルチ無線プロトコルゲートウェイ（４）とセッション制御機能（９）との間で使用される暗号化プロシージャのパラメータを送信する。未承認応答を受信すると、ＳＩＰ  ＧＷ機能（２０）が、ＳＧＷ機能（２２）を介し、対応する回線交換方式の接続の認証要求を端末（６）に送信する。認証要求において、ＳＩＰ  ＧＷ機能（２０）は、乱数および認証トークンを端末（６）に送信するとともに、使用すべき認証アルゴリズムを識別する。
【００２８】
端末（６）は、認証要求を受信すると、メッセージ認証コード（Message Authentication Code（ＭＡＣ））および連続番号（Sequence Number（ＳＱＮ））を取得し、Ｅｘｐｅｃｔｅｄ  ＭＡＣを算出して、受信したメッセージの認証コードと比較し、連続番号が許容範囲内にあるか確認する。肯定的な結果であれば、端末（６）は、認証チャレンジ応答（ＲＥＳ）を算出し、認証要求の応答として、マルチ無線プロトコルゲートウェイ（４）にその認証チャレンジ応答を送信する。ＳＩＰ  ＧＷ機能（２０）は、認証要求を受信すると、ユーザ認証などのデータをデータベース（または同様のメモリ）に保存して、インテグリティ鍵（Integrity Key（ＩＫ））、セキュリティパラメータインデックス、および安全な暗号化された接続を形成するとともに、マルチ無線プロトコルゲートウェイ（４）とセッション制御機能（９）との間に形成された該接続を介して、新たなＳＩＰ登録要求をＩＰマルチメディアサブシステム（１０１）のセッション制御機能（９）に送信する。
【００２９】
ＳＩＰ  ＧＷ機能（２０）は、Ａｕｔｈｏｒｉｚａｔｉｏｎヘッダフィールドに、秘密ユーザ識別および認証チャレンジ応答を付加する。Ｓｅｃｕｒｉｔｙ−Ｃｌｉｅｎｔヘッダフィールドの内容は、最初のＳＩＰ登録要求のものと同じである。またＳＩＰ  ＧＷ機能（２０）は、未承認応答で受信したＳｅｃｕｒｉｔｙ−Ｓｅｒｖｅｒヘッダフィールドの内容をそのままの形式で含む、その新しいＳＩＰ登録要求に、Ｓｅｃｕｒｉｔｙ−Ｖｅｒｉｆｙヘッダフィールドを付加する。この新たなＳＩＰ登録要求が含む内容に関するメッセージ本体は、最初のＳＩＰ登録要求のものと同じである。セッション制御機能（９）は、ユーザを認証する第２のＳＩＰ登録要求を受信すると、加入者ホーム加入者サーバ（１１）で登録を済ませ、ホーム加入者サーバ（１１）から受信したフィルタ情報に従い、ＳＩＰ登録要求をさらに登録ゲートウェイ（２４）のＳＩＰ  ＧＷ機能（２３）に送信する。
【００３０】
ＳＩＰ  ＧＷ機能（２３）は、ＳＩＰ登録要求を受信すると、この要求から元の位置更新要求のデータを取得し、対応する位置更新要求を作成して、それをＶＬＲ  ＧＷ機能（１９）に送信する。ＶＬＲ  ＧＷ機能（１９）は、位置更新要求を受信すると、インターフェースＧ（７６）を介して前回のビジタ位置レジスタへの接続をオープンし、国際加入者識別および認証パラメータ要求メッセージを前回のビジタ位置レジスタに送信する。前回のビジタ位置レジスタのアドレスは、前回の位置領域から得られる。この要求メッセージでは、一時加入者識別も前回のビジタ位置レジスタに送信される。前回のビジタ位置レジスタは、応答として認証パラメータおよび国際加入者識別をＶＬＲ  ＧＷ機能（１９）に送信することによって、要求に応答し、ＶＬＲ  ＧＷ機能（１９）は、そのメモリにこの応答を保存する。この後、ＶＬＲ  ＧＷ機能（１９）は、加入者認証要求を形成し、それをＳＩＰ  ＧＷ機能（２３）に送信する。加入者認証要求において、乱数（ＲＡＮＤ）および暗号化鍵連続番号が送信される。
【００３１】
ＳＩＰ  ＧＷ機能（２３）は、加入者識別要求を受信すると、ＩＰマルチメディアサブシステム（１０１）のセッション制御機能（９）に送信するＩＮＦＯメッセージを形成する。ＩＮＦＯメッセージに代えて、ＳＩＰ  ＧＷ機能（２３）は、同様の未承認応答を作成し、セッション制御機能に送信してもよく、この応答は、マルチ無線プロトコルゲートウェイ（４）から受信した最初のＳＩＰ登録要求に対して、セッション制御機能（９）がマルチ無線プロトコルゲートウェイ（４）に送信したように、マルチ無線プロトコルゲートウェイ（４）に送信されることになる。しかしながら、この実施例ではＩＮＦＯメッセージを使用する。ＩＮＦＯメッセージの要求ＵＲＩに、ＳＩＰ  ＧＷ機能（２３）はマルチ無線プロトコルゲートウェイのドメインネームまたはそのＩＰアドレス番号を設定する。Ｔｏヘッダフィールドに、ＳＩＰ  ＧＷ機能（２３）は同じマルチ無線プロトコルゲートウェイ（４）のドメインネームまたはそのＩＰアドレス番号を設定する。一方、Ｆｒｏｍヘッダフィールドに、ＳＩＰ  ＧＷ機能（２３）はレジスタゲートウェイ（２４）のドメインネームまたはそのＩＰアドレス番号を設定する。また、ＩＮＦＯメッセージは、セッション内容に関するメッセージ本体を含み、それにＳＩＰ  ＧＷ機能（２３）が加入者認証要求からのデータ、すなわち乱数および暗号化鍵連続番号を関連付ける。
【００３２】
内容に関するメッセージ本体の種類としては、特定のアプリケーションが指定され、そのアプリケーション名として、たとえばＭＲＧＷが指定される。これらはＣｏｎｔｅｎｔ−Ｔｙｐｅヘッダフィールドに設定される。加入者認証要求からのデータは、たとえば以下のように、それぞれのパラメータ毎に送信される。すなわち、ＯｐｅｒａｔｉｏｎＣｏｄｅ＝認証要求、ＩｎｖｏｋｅＩＤ＝加入者識別、ＲＡＮＤ＝乱数、ＣＫＳＮ＝暗号化鍵連続番号。これに代えて、ＳＩＰ  ＧＷ機能（２３）は、ＩＮＦＯメッセージの内容に関するメッセージ本体として、ＶＬＲ  ＧＷ機能（１９）から受信した加入者認証メッセージ全体を送信することもできる。ＳＩＰ  ＧＷ機能（２３）は、インターフェースＩＳＣ（７２）を介し、ＩＰマルチメディアサブシステム（１０１）のセッション制御機能（９）にＩＮＦＯメッセージを送信する。セッション制御機能（９）は、このＩＮＦＯメッセージをマルチ無線プロトコルゲートウェイ（４）に送信する。
【００３３】
マルチ無線プロトコルゲートウェイのＳＩＰ  ＧＷ機能（２０）は、ＩＮＦＯメッセージを受信すると、まずセッション制御機能（９）にＯＫ応答を送信し、それからＩＮＦＯメッセージの内容に関するメッセージ本体のパラメータから元の加入者認証要求を作成し、それがＳＧＷ機能（２２）に送信され、そこからさらにインターフェースＡ（５０）、ｌｕＣＳ（７１）、またはＵｐ（５２）を介して端末（６）に送信される。端末（６）は、署名された応答（Signed Response（ＳＲＥＳ））を含む認証応答で加入者認証要求に応答する。ＳＧＷ機能（２２）は、認証応答を受信すると、これをさらにＳＩＰ  ＧＷ機能（２０）に送信し、ここでその応答からＩＮＦＯメッセージを形成する。ＩＮＦＯメッセージの要求ＵＲＩに、ＳＩＰ  ＧＷ機能（２０）はレジスタゲートウェイ（２４）のドメインネームまたはそのＩＰアドレス番号を設定する。Ｔｏヘッダフィールドに、ＳＩＰ  ＧＷ機能（２０）は同じレジスタゲートウェイ（２４）のドメインネームまたはそのＩＰアドレス番号を設定する。一方、Ｆｒｏｍヘッダフィールドに、ＳＩＰ  ＧＷ機能（２０）はマルチ無線プロトコルゲートウェイ（４）のドメインネームまたはそのＩＰアドレス番号を設定する。Ｃｏｎｔｅｎｔ−Ｔｙｐｅヘッダフィールドに、ＳＩＰ  ＧＷ機能（２０）は、内容に関するメッセージ本体の種類としてアプリケーションを設定し、そのアプリケーション名としてＲＧＷを設定する。内容に関するメッセージ本体のパラメータとして、ＳＩＰ  ＧＷ機能（２０）は、ＯｐｅｒａｔｉｏｎＣｏｄｅ＝認証応答、ＩｎｖｏｋｅＩＤ＝加入者識別、およびＳＲＥＳ＝識別応答を設定する。ＳＩＰ  ＧＷ機能（２０）は、インターフェースＧｍ（６１）を介し、ＩＰマルチメディアサブシステム（１０１）のセッション制御機能（９）にＩＮＦＯメッセージを送信する。
【００３４】
セッション制御機能（９）は、ＩＮＦＯメッセージを受信すると、それをレジスタゲートウェイ（２４）のＳＩＰ  ＧＷ機能（２３）に送信する。レジスタゲートウェイ（２４）のＳＩＰ  ＧＷ機能（２３）は、ＩＮＦＯメッセージを受信すると、まずＯＫ応答でセッション制御機能（９）に応答し、その後、受信したＩＮＦＯメッセージから元の認証応答を形成して、それをさらにＶＬＲ  ＧＷ機能（１９）に送信する。ＶＬＲ  ＧＷ機能（１９）は、認証応答を受信すると、受信した識別応答と、保存していた対応の応答とを比較し、これらが一致すれば、ユーザが本人として認証される。ユーザが本人として認証されると、ＶＬＲ  ＧＷ機能（１９）は、インターフェースＤ（７５）を介してユーザのホーム位置レジスタ（７）に位置更新要求を送信する。ユーザのホーム位置レジスタ（７）は、公衆携帯電話システムの回線交換方式のサービスに関連した加入者データをＶＬＲ  ＧＷ機能（１９）に送信することによって応答し、ＶＬＲ  ＧＷ機能（１９）は、それをデータベース（または同様のメモリ）に保存する。ホーム位置レジスタ（７）が位置更新を承認すると、一時加入者識別の再割当てを行われなければならない場合、ＶＬＲ  ＧＷ機能（１９）は、暗号化モード設定要求を形成し、それをＳＩＰ  ＧＷ機能（２３）に送信する。暗号化モード設定要求によって、使用すべき暗号化モードおよび暗号化鍵が送信される。
【００３５】
ＳＩＰ  ＧＷ機能（２３）は、暗号化モード設定要求を受信すると、そのＩＮＦＯメッセージを形成し、これがＩＰマルチメディアサブシステム（１０１）のセッション制御機能（９）に送信されることになる。一方、ＩＮＦＯメッセージの要求ＵＲＩに、ＳＩＰ  ＧＷ機能（２３）はマルチ無線プロトコルゲートウェイ（４）のドメインネームまたはそのＩＰアドレス番号を設定する。Ｔｏヘッダフィールドに、ＳＩＰ  ＧＷ機能（２３）は同じマルチ無線プロトコルゲートウェイ（４）のドメインネームまたはそのＩＰアドレス番号を設定する。Ｆｒｏｍヘッダフィールドに、ＳＩＰ  ＧＷ機能（２３）はレジスタゲートウェイ（２４）のドメインネームまたはそのＩＰアドレス番号を設定する。ＩＮＦＯメッセージのＣｏｎｔｅｎｔ−Ｔｙｐｅヘッダフィールドには、内容に関するメッセージ本体の種類としてアプリケーションが指定され、そのアプリケーション名として、たとえばＭＲＧＷが指定される。暗号化モード設定要求によって受信した暗号化モードは、たとえば以下のようにして、ＩＮＦＯメッセージの内容に関するメッセージ本体のパラメータで送信される。すなわち、ＯｐｅｒａｔｉｏｎＣｏｄｅ＝暗号化モード設定要求、ＩｎｖｏｋｅＩＤ＝加入者識別、Ｃｉｐｈｅｒｉｎｇ  Ｍｏｄｅ＝暗号化モード、およびＫｃ＝暗号化鍵。ＳＩＰ  ＧＷ機能（２３）は、インターフェースＩＳＣ（７２）を介し、ＩＰマルチメディアサブシステム（１０１）のセッション制御機能（９）にＩＮＦＯメッセージを送信する。
【００３６】
セッション制御機能（９）は、ＩＮＦＯメッセージを受信すると、それをマルチ無線プロトコルゲートウェイ（４）のＳＩＰ  ＧＷ機能（２０）に送信する。マルチ無線プロトコルゲートウェイ（４）のＳＩＰ  ＧＷ機能（２０）は、ＩＮＦＯメッセージを受信すると、まずセッション制御機能（９）にＯＫ応答を送信し、それから受信したＩＮＦＯメッセージの内容に関するメッセージ本体のパラメータから元の暗号化モード設定要求を形成し、それを次にＳＧＷ機能（２２）に送信し、そこからさらにインターフェースＡ（５０）、ｌｕＣＳ（７１）、またはＵｐ（７２）を介して無線アクセスネットワーク（１０４）に送信する。暗号化コードの設定後、レジスタゲートウェイ（２４）のＶＬＲ  ＧＷ機能（１９）は、ＳＩＰ  ＧＷ機能（２３）に識別要求を送信することによって、端末（６）の国際移動通信機器識別（International Mobile Equipment Identity（ＩＭＥＩ））を作動させる。この識別要求には、要求された識別タイプ、つまりこの場合には国際移動通信機器識別が記されている。
【００３７】
ＳＩＰ  ＧＷ機能（２３）は、識別要求を受信すると、上述のように、そこからＩＮＦＯメッセージを形成し、それがインターフェースＩＳＣ（７２）を介してＩＰマルチメディアサブシステム（１０１）のセッション制御機能（９）に送信されることになる。ＩＮＦＯメッセージのＣｏｎｔｅｎｔ−Ｔｙｐｅヘッダフィールドに、内容に関するメッセージ本体の種類としてアプリケーションが指定され、そのアプリケーション名として、たとえばＭＲＧＷが指定される。識別要求によって受信した識別タイプは、たとえば以下のようにして、ＩＮＦＯメッセージの内容に関するメッセージ本体のパラメータとともに送信される。すなわち、ＯｐｅｒａｔｉｏｎＣｏｄｅ＝識別要求、ＩｎｖｏｋｅＩＤ＝加入者識別、およびＭｏｂｉｌｅ  Ｉｄｅｎｔｉｔｙ  Ｔｙｐｅ＝識別タイプ。ＳＩＰ  ＧＷ機能（２３）は、インターフェースＩＳＣ（７２）を介し、ＩＰマルチメディアサブシステム（１０１）のセッション制御機能（９）にＩＮＦＯメッセージを送信する。セッション制御機能（９）は、ＩＮＦＯメッセージを受信すると、それをマルチ無線プロトコルゲートウェイ（４）のＳＩＰ  ＧＷ機能（２０）に送信する。マルチ無線プロトコルゲートウェイ（４）のＳＩＰ  ＧＷ機能（２０）は、ＩＮＦＯメッセージを受信すると、まずセッション制御機能（９）にＯＫ応答を送信し、それから受信したＩＮＦＯメッセージの内容に関するメッセージ本体のパラメータから元の識別要求を形成し、それをＳＧＷ機能（２２）に送信し、そこからさらにインターフェースＡ（５０）、ｌｕＣＳ（７１）、またはＵｐ（５２）を介して端末（６）に送信する。
【００３８】
端末（６）は、国際機器識別を含む識別応答によって識別要求に応答する。ＳＧＷ機能（２２）は、識別応答を受信すると、それをさらにＳＩＰ  ＧＷ機能（２０）に送信し、ここでその応答からＩＮＦＯメッセージを形成する。ＩＮＦＯメッセージの要求ＵＲＩに、ＳＩＰ  ＧＷ機能（２０）はレジスタゲートウェイ（２４）のドメインネームまたはそのＩＰアドレス番号を設定する。Ｔｏヘッダフィールドに、ＳＩＰ  ＧＷ機能（２０）は同じレジスタゲートウェイ（２４）のドメインネームまたはそのＩＰアドレス番号を設定する。一方、Ｆｒｏｍヘッダフィールドに、ＳＩＰ  ＧＷ機能（２０）はマルチ無線プロトコルゲートウェイ（４）のドメインネームまたはそのＩＰアドレス番号を設定する。Ｃｏｎｔｅｎｔ−Ｔｙｐｅヘッダフィールドに、ＳＩＰ  ＧＷ機能（２０）は内容に関するメッセージ本体の種類としてアプリケーションを設定し、そのアプリケーション名としてＲＧＷを設定する。内容に関するメッセージ本体のパラメータとして、ＳＩＰ  ＧＷ機能（２０）は、ＯｐｅｒａｔｉｏｎＣｏｄｅ＝識別応答、ＩｎｖｏｋｅＩＤ＝加入者識別、ＭｏｂｉｌｅＩｄｅｎｔｉｔｙＴｙｐｅ＝識別タイプ、およびＩＭＥＩ＝国際機器識別を設定する。ＳＩＰ  ＧＷ機能（２０）は、インターフェースＧｍ（６１）を介し、ＩＰマルチメディアサブシステム（１０１）のセッション制御機能（９）にＩＮＦＯメッセージを送信する。
【００３９】
ＩＮＦＯメッセージを受信すると、セッション制御機能（９）は、それをレジスタゲートウェイ（２４）のＳＩＰ  ＧＷ機能（２３）に送信する。レジスタゲートウェイ（２４）のＳＩＰ  ＧＷ機能（２３）は、ＩＮＦＯメッセージを受信すると、まずＯＫ応答でセッション制御機能（９）に応答し、その後、受信したＩＮＦＯメッセージから元の識別応答を形成して、それをさらにＶＬＲ  ＧＷ機能（１９）に送信する。ＶＬＲ  ＧＷ機能（１９）は、識別応答を受信すると、インターフェースＦ（７７）を介して機器識別レジスタ（８）からの国際機器識別を要求する。機器識別レジスタ（８）は、ＶＬＲ  ＧＷ機能（１９）に国際機器識別を送信し、ＶＬＲ  ＧＷ機能（１９）は、端末（６）から受信した機器識別とそれを比較し、これらが一致すれば、ＶＬＲ  ＧＷ機能（１９）は、新たな一時加入者識別およびユーザの国際形態電話番号を含む位置更新承認応答をＳＩＰ  ＧＷ機能（２３）に送信する。
【００４０】
ＳＩＰ  ＧＷ機能（２３）は、位置更新承認応答を受信すると、受信したＳＩＰ登録要求に関連付けられたＯＫ応答を作成する。この応答は、位置更新承認応答の内容に関するメッセージ本体からのデータを含んでいる。内容に関するメッセージ本体の種類としてアプリケーションが指定され、その名前として、たとえばＭＲＧＷが指定される。これらはＣｏｎｔｅｔ−Ｔｙｐｅヘッダフィールドに設定される。位置更新承認応答からのデータは、たとえば以下のようにして、それぞれのパラメータ毎に送信される。すなわち、ＯｐｅｒａｔｉｏｎＣｏｄｅ＝位置更新承認応答、ＩｎｖｏｋｅＩＤ＝加入者識別、ＴＭＳＩ＝新たな一時加入者識別、およびＭＳＩＳＤＮ＝国際携帯電話番号。ＳＩＰ  ＧＷ機能（２３）は、インターフェースＩＳＣ（７２）を介し、ＩＰマルチメディアサブシステム（１０１）のセッション制御機能（９）にＯＫメッセージを送信する。セッション制御機能（９）は、マルチ無線プロトコルゲートウェイ（４）にＯＫ応答を送信する。その後、ＶＬＲ  ＧＷ機能（１９）はＤＮＳ  ＧＷ機能（２１）に位置更新承認応答を送信する。
【００４１】
ＤＮＳ  ＧＷ機能（２１）は、位置更新承認応答を受信すると、ドメインネームサービス（４０）において、ユーザの国際携帯電話番号のドメインネームサービスの名前（すなわち‘ＳＩＰ＋Ｅ２Ｕ’）の第１接続確立プロシージャとして、ＳＩＰプロシージャを更新することができるとともに、インターフェースＤｄｎｓ（７８）を介してＳＩＰリソース識別の形態で、ＳＩＰプロシージャに接続されたドメインネームサービスのアドレス（すなわちドメインネーム）、たとえば文字列としてのユーザの国際電話番号＋‘：’文字＋‘ＭＳＩＳＤＮ’文字列＋‘字＋マルチ無線プロトコルゲートウェイ（４）のドメインネームまたはそのＩＰアドレス番号として、ＳＩＰ登録要求のＣｏｎｔａｃｔヘッダフィールドのアドレス接続を更新することができる。
【００４２】
ユーザの国際携帯電話番号のドメインネームサービスの名前について、第２接続確立プロシージャとして、ＤＮＳ  ＧＷ機能（２１）は、たとえば従来の電話呼設定プロシージャを設定することができ、アドレスには、電話番号に相当するリソースロケータの形態でユーザの国際電話番号を設定することができる。ユーザの国際携帯電話番号のドメインネームがドメインネームサービス（４０）にない場合、ＤＮＳ  ＧＷ機能（２１）がドメインネームサービス（４０）にそのユーザの国際携帯電話番号のドメインネームおよびその他の規格を付加する。このデータは、たとえばＥＮＵＭサービスで利用することができる。なお、ドメインネームサービス（４０）の接続確立プロシージャとして、たとえば「Ｓｋｙｐｅ＋Ｅ２Ｕ」とし、これに対応するアドレスとしてＳｋｙｐｅ識別を更新することも可能である。ドメインネームサービス（４０）の上述の更新は、インターフェースＤｄｎｓ（７８）を介し、ユーザ登録に関連して、ＩＰマルチメディアサブシステム（１０１）のセッション制御機能（９）によって実行することもできることにも注目されたい。また、ホーム加入者サーバ（１１）は、３ＧＰＰ推奨規格に準じてセッション制御機能（９）からユーザ登録に関連した通知を受信した後、ドメインネームサービス（４０）において、ユーザの国際携帯電話番号のドメインネームサービスの名前の第２接続確立プロシージャの１つとして、ＳＩＰプロシージャを更新することができるとともに、インターフェースＤｄｎｓ（７８）を介してＳＩＰプロシージャに接続されるドメインネームサービスのアドレスとして、セッション制御機能（９）を示すアドレス接続を更新することが可能であることにも注目されたい。
【００４３】
マルチ無線プロトコルゲートウェイ（４）のＳＩＰ  ＧＷ機能（２０）がセッション制御機能（９）からＯＫ応答を受信すれば、ＩＰマルチメディアサブシステム（１０１）への登録は成功している。受信したＯＫ応答のＣｏｎｔａｃｔヘッダフィールドが、当該マルチ無線プロトコルゲートウェイ（４）を示す上記登録済アドレス接続であって、文字列としてのユーザの国際携帯電話番号＋‘：’文字＋‘ＭＳＩＳＤＮ’文字列＋‘字＋ドメインネームまたはそのＩＰアドレス番号を含むＳＩＰセッションプロシージャに係るリソース識別構造、すなわち別のマルチ無線プロトコルゲートウェイを介してＩＰマルチメディアサブシステム（１０１）に対して行った前回の登録に係るリソース識別構造に従う登録済アドレス接続の他に別のアドレス接続を含んでいる場合、別のアドレス接続は、期限がゼロ秒の登録要求をＩＰマルチメディアサブシステム（１０１）に送信することによって取除くことができ、今、Ｃｏｎｔａｃｔヘッダフィールドはそのような別のアドレス接続を含んでいる。マルチ無線プロトコルゲートウェイ（４）がセッション制御機能（９）から最後のＯＫ応答を受信すると、ＳＩＰ  ＧＷ機能（２０）は承認を示す位置更新応答をＳＧＷ機能（２２）に送信し、該ＳＧＷ機能は該応答を端末（６）に送信する。なんらかの理由でＳＩＰ登録が失敗すると、ＳＧＷ機能（２２）は端末（６）とＳＩＰ  ＧＷ機能（２０）との間で信号を伝達するが、ＳＩＰ  ＧＷ機能（２０）は位置更新を拒否する。
以下、電話の呼の設定／解除に関連した機能について、より詳細に説明する。
【００４４】
図１のマルチ無線プロトコルゲートウェイのＳＧＷ機能（２２）は、インターフェースＡ（５０）、ｌｕＣＳ（７１）、またはＵｐ（５２）を介して端末（６）から電話呼確立要求を受信すると、この要求をさらにＳＩＰ  ＧＷ機能（２０）に送信する。ＩＰマルチメディアサブシステムへの登録が済んでいなければ、ＳＩＰ  ＧＷ機能（２０）は、ＩＰマルチメディアサブシステムへの登録について記載した部分で示したように、インターフェースＧｍ（６１）を介し、ＩＰマルチメディアサブシステム（１０１）に対してＳＩＰセッションプロシージャに従った登録を行う。この場合、ＳＩＰ  ＧＷ機能（２０）は、端末（６）から受信した電話呼確立要求からユーザの国際電話番号を受信する。ＩＰマルチメディアサブシステム（１０１）への登録が無事に行われた場合、ＳＩＰ  ＧＷ機能（２０）は、ＩＰマルチメディアサブシステム（１０１）のセッション制御機能（９）に送信されることになるＳＩＰセッション要求（ＩＮＶＩＴＥ）を形成する。ＳＩＰセッション要求の要求ＵＲＩに対して、ＳＩＰ  ＧＷ機能（２０）は電話番号に相当するリソースロケータの形態で到達目標のユーザの電話番号を設定する。到達目標のユーザの電話番号は、端末（６）から受信される電話呼確立要求から受信される。Ｔｏヘッダフィールドに、ＳＩＰ  ＧＷ機能（２０）は電話番号に相当するリソースロケータの形態で、且つ電話呼確立要求で受信される到達目標のユーザの電話番号を含む、到達目標のユーザの公開識別、すなわち登録アドレスを設定する。Ｆｒｏｍヘッダフィールドに、ＳＩＰ  ＧＷ機能（２０）は端末（６）から受信される電話呼確立要求からＳＩＰ  ＧＷ機能（２０）が受信する発呼者の電話番号を、電話番号に相当するＵＲＬの形態で設定する。Ｃｏｎｔａｃｔヘッダフィールドに、ＳＩＰ  ＧＷ機能（２０）は発呼者のＳＩＰエンドポイントのセッションサービスに接続されるアドレス接続を設定し、そのアドレスに発呼者の公開識別に向けられたＳＩＰ要求および要求応答が送信されることになり、登録と関連して保存される。ＳＩＰセッション要求もセッションメディア内容のメッセージ本体を含む。このメディアは、とりわけネットワークの種類、発呼者のＳＩＰエンドポイントのドメインネーム、使用したメディアゲートウェイのドメインネーム、メディアの種類、メディアリレープロトコル、およびメディア符号化法を特定する一連のパラメータを用いて示される。発呼者のＳＩＰエンドポイントのドメインネームは、当該マルチ無線プロトコルゲートウェイ（４）のドメインネームである。使用されるメディアゲートウェイ（１５）のドメインネームは、システム構成データから受信される。一方、メディア符号化法は、端末（６）から受信される電話呼確立要求から受信される。ＳＩＰ  ＧＷ機能（２０）は、インターフェースＧｍ（６１）を介してＩＰマルチメディアサブシステム（１０１）のセッション制御機能（９）にセッション要求を送信する。セッション制御機能（２０）は、ＳＩＰセッション要求を受信すると、まずＳＩＰ  ＧＷ機能に一時的な応答を送信し、その後、マルチ無線プロトコルゲートウェイ（４）のＳＩＰ  ＧＷ機能（２０）およびＳＧＷ（２２）機能を介してＩＰマルチメディアサブシステム（１０１）と端末（６）との間にＳＩＰセッションを形成する。この場合、ＩＰマルチメディアサブシステム（１０１）とマルチ無線プロトコルゲートウェイ（４）のＳＩＰ  ＧＷ機能（２０）とは、ＳＩＰセッションプロシージャに従って接続されており、ＳＩＰ  ＧＷ機能（２０）と端末（６）とは、回線交換方式の電話呼設定プロシージャに従って接続されていることに注目されたい。端末（６）が公衆携帯電話システムの無線ネットワーク（すなわち実際の回線交換方式の接続）を使用している場合、ＳＧＷ機能（２２）は、インターフェースＡ（５０），ｌｕＣＳ（７１）を介して回線交換方式の接続を通して送信し、端末（６）がＵＭＡ接続を使用している場合、ＳＧＷ機能（２２）は、ＵＭＡ規格に従い、インターフェースＵｐ（５１）を介して回線交換方式の接続のＴＣＰ／ＩＰ接続を通して送信する。接続の解除も、同様の方法で、マルチ無線プロトコルゲートウェイ（４）のＳＩＰ  ＧＷ機能（２０）およびＳＧＷ機能（２２）を介してＩＰマルチメディアサブシステム（１０１）と端末（６）との間で信号を伝達することによって行われる。
【００４５】
電話の呼は、ＩＰマルチメディアサブシステム（１０１）から端子（６）に向かって、確立させることもできる。
【００４６】
マルチ無線プロトコルゲートウェイ（４）のＳＩＰ  ＧＷ機能（２０）は、インターフェースＧｍ（６１）を介してＩＰマルチメディアサブシステム（１０１）のセッション制御機能（９）からＳＩＰセッション要求を受信すると、ＳＩＰセッション要求を回路変換方式の電話呼設定要求に変換し、それをさらにＳＧＷ機能（２２）に送信する。到達目標のユーザおよび発呼者の電話番号は、ＳＧＷ機能（２２）に送信される電話呼設定要求において必要なものであり、ＳＩＰ  ＧＷ機能（２０）は、ＳＩＰセッション要求のＴｏヘッダフィールドおよびＦｒｏｍヘッダフィールドの登録アドレスからこれらを受信する。ＳＩＰ  ＧＷ機能（２０）は、要求リソース識別子からも到達目標のユーザの電話番号を受信する。また電話呼設定要求は、セッション要求のメディアの内容のメッセージ本体から受信される、使用するメディアの符号化方法も含んでいなければならない。ＳＧＷ機能（２２）は、電話呼設定要求を受信すると、まずページングプロシージャを形成し、これによって、端末（６）とマルチ無線プロトコルゲートウェイ（４）との接続がすでに動作状態になかったとしても、端末（６）は電話呼設定要求を受信するようになる。端末（６）が呼出しに応えると、ＳＧＷ機能（２２）は電話呼設定要求を端末（６）に送信し、その後、電話呼設定要求は、端末（６）とＩＰマルチメディアサブシステム（１０１）との間で、マルチ無線プロトコルゲートウェイ（４）のＳＧＷ（２２）およびＳＩＰ  ＧＷ（２２）機能を介して信号が伝達される。メディアのメッセージ内容本体が許容されている最初のセッション要求応答において、ＳＩＰ  ＧＷ機能（２０）は、使用されるメディアのリレープロトコルおよび符号化方法に加え、到達目標のユーザのＳＩＰエンドポイントのドメインネームおよび使用されるメディアゲートウェイ（１５）のドメインネームを送信する。到達目標のユーザのＳＩＰエンドポイントのドメインネームは、当該マルチ無線プロトコルゲートウェイ（４）のドメインネームである。使用されるメディアゲートウェイ（１５）のドメインネームは、たとえばシステム構成データから受信される。
【図面の簡単な説明】
【００４７】
【図１】本発明を使用したシステム全体の動作に関するブロック図である。
【図１】
2009524314.tif 000003
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
ＩＰマルチメディアサブシステム（１０１）において端末（６）のユーザを認証する方法であって、
ＩＰマルチメディアサブシステム（１０１）がマルチ無線プロトコルゲートウェイ（４）にＩＰマルチメディアサブシステム（１０１）における端末のユーザの認証を要求し、
マルチ無線プロトコルゲートウェイ（４）が端末に端末（６）の公衆移動通信コアネットワークの回線交換部（５）の認証パラメータを要求し、
端末（６）の公衆移動通信コアネットワークの回線交換部（５）の認証パラメータをＩＰマルチメディアサブシステム（１０１）における端末のユーザの認証パラメータとして使用することを特徴とする方法。
【請求項２】
マルチ無線プロトコルゲートウェイ（４）とＩＰマルチメディアサブシステム（１０１）との間に一体化された接続を形成し、ＩＰマルチメディアサブシステムにおいてユーザ端末のデータセキュリティメカニズムを実施することによって、マルチ無線プロトコルゲートウェイ（４）とＩＰマルチメディアサブシステム（１０１）との間に安全な暗号化された接続が形成されて維持されることを特徴とする請求項１に記載の方法。
【請求項３】
マルチ無線プロトコルゲートウェイ（４）において、ＩＰマルチメディアサブシステム（１０１）に接続される前記安全な暗号化された接続を形成し、
前記ユーザ端末のＩＰマルチメディアサブシステムに適用可能なパラメータをＩＰマルチメディアサブシステム（１０１）に送信し、
ＩＰマルチメディアサブシステム（１０１）に接続される前記安全な暗号化された接続を形成して維持するために、マルチ無線プロトコルゲートウェイ（４）において前記ユーザ端末の前記パラメータを使用することを特徴とする請求項２に記載の方法。
【請求項４】
ＩＰマルチメディアサブシステム（１０１）において端末（６）のユーザを識別するシステムであって、
公衆携帯電話システムの無線ネットワークまたは免許不要の周波数を利用した無線ネットワークおよびＩＰマルチメディアサブシステム（１０１）を含む無線アクセスネットワーク（１０４）を含むシステムにおいて、
公衆移動通信コアネットワークの回線交換部（５）およびＩＰマルチメディアサブシステム（１０１）の認証プロシージャを実行する手段と、マルチ無線プロトコルゲートウェイ（４）とＩＰマルチメディアサブシステム（１０１）との間に安全な暗号化された接続を形成して維持する手段とを含むマルチ無線プロトコルゲートウェイ（４）をさらに含むことを特徴とするシステム。
【請求項５】
端末およびＩＰマルチメディアサブシステム（１０１）へのアクセスを提供するために、少なくとも無線アクセスネットワーク（１０４）にインターフェースで接続されるように配置されたマルチ無線プロトコルゲートウェイ（４）であって、
公衆移動通信コアネットワークの回線交換部（５）およびＩＰマルチメディアサブシステム（１０１）の認証プロシージャを実行する手段と、
マルチ無線プロトコルゲートウェイ（４）とＩＰマルチメディアサブシステム（１０１）との間に安全な暗号化された接続を形成して維持する手段とを含むことを特徴とするマルチ無線プロトコルゲートウェイ（４）。
【国際調査報告】
2009524314.tif 000004
2009524314.tif 000005
2009524314.tif 000006